(57)【特許請求の範囲】
【請求項１】
ガスを放電させて発光させるプラズマディスプレイであって、画素を構成する赤（Ｒ）、緑（Ｇ）、青（Ｂ）の各放電セルを複数個のサブセルで構成し、前記各放電セルを構成するサブセルは当該放電セルと同色発光しかつ個別発光しうるものであり、前記青（Ｂ）の放電セルを構成するサブセルの数を、赤（Ｒ）放電セルおよび緑（Ｇ）放電セルを構成するサブセルの数よりも多くしたことを特徴とするプラズマディスプレイパネル。
【請求項２】
各サブセルが蛍光体を塗布した隔壁に２方を囲まれた構造であり前記サブセルの同色のものが一列に配列されていることを特徴とする請求項１記載のプラズマディスプレイパネル。
【請求項３】
画素を形成する赤（Ｒ）、緑（Ｇ）、青（Ｂ）の放電セルのそれぞれを構成する同色のサブセルが前記画素の中で、位置的に混在していることを特徴とする請求項１または２に記載のプラズマディスプレイパネル。
【発明の詳細な説明】
【０００１】
【発明の属する技術分野】
本発明は、優れたパネル構成および発光が可能なプラズマディスプレイパネルに関するものである。
【０００２】
【従来の技術】
プラズマディスプレイは、パネルを構成するフロント基板とバック基板間で気体を電離させ、その際に生じた紫外線によって蛍光体を励起し可視光の表示を得るものである。
【０００３】
以下図面を参照しながら、上記した従来のプラズマディスプレイのパネル構成とその動作を説明する。
【０００４】
図２は従来のプラズマディスプレイの部分斜視構成図である。図２において、１はフロントパネルガラスであり、２はバックパネルガラスである。フロントパネルガラスとバックパネルガラスとの間には３００Ｔｏｒｒから５００Ｔｏｒｒの希ガスを封入し、周囲を密閉してプラズマディスプレイパネルとする。フロントパネルガラス１上には、透明電極３と金属電極４から構成された表示電極対５、６がパターン形成され、それを覆う様に誘電体膜７が３０μmから４０μm形成されている。誘電体膜７の上には放電ガスによるスパッタを保護する目的で保護膜８が成膜される。
【０００５】
一方、バックパネルガラス２の表面にはリブ（隔壁）９〜１３が形成され、各リブ間にＲＧＢの蛍光体１４〜１６がＲＧＢを一対として繰り返し埋め込まれ、蛍光体１４〜１７の下部にアドレス電極１８〜２１が形成されている。
【０００６】
以上のように構成されたプラズマディスプレイは、予めアドレス電極１８〜２１と表示電極対５、６それぞれとの間で放電させ、壁電荷によりメモリー動作させることによって放電すべき画素をアドレスする。その後、表示電極対に電圧を印加する事で、表示電極対内のアドレスされた部分で放電が起こり、紫外線が発生し、その紫外線に励起されたＲＧＢ蛍光体１４〜１７から可視光が放出されそれが画像として表示されるのである。
【０００７】
図３は、上面からのプラズマディスプレイパネルの概略透過図であり、アドレス電極１８〜２１、リブ９〜１３、表示電極５、６の関係を示したものである。また図中には発光表示箇所及びＲＧＢで構成される１画素を一点鎖線で囲って例示した。各発光箇所はアドレス電極と表示電極によって特定される。壁電荷によってメモリーされ、表示電極間に電圧を印加するとメモリーされた箇所で発光が生じる。
【０００８】
この発光する場所と発光回数によって色相や輝度の変化する画像が表示され、ディスプレイとしての機能を生じるのである。１画素中の発光箇所はＲＧＢそれぞれのセル１カ所であり１つの画素を任意の色度と輝度にするために、ＲＧＢそれぞれの点灯回数を制御することで階調を実現する。
【０００９】
【発明が解決しようとする課題】
上記のような従来の構成では、ＲＧＢそれぞれの発光セルが１つの発光単位であり、その発光単位を１フィールド中で何度光らせるかによって輝度が決定される。また輝度階調は各サブフィールドに含まれる発光回数の、１フィールド中の総合計を各セルごとに変化させて実現する。サブフィールドの数は階調を決定する上で重要であり、高い階調を実現するためには多くのサブフィールドを必要とする。しかしながら、１つのサブフィールドはセットアップ、アドレス、サステイン、エレイズ動作から構成されており、１２サブフィールド程度を用いようとするとアドレス時間が十分取れなくなり、階調は現状では２５６階調が精一杯である。
【００１０】
本発明は上記問題点に鑑み、サブフィールド数を少なく設定しても輝度階調を多く取ることが可能なプラズマディスプレイを提供することを目的とし、また同時に輝度、効率の高いディスプレイを得ることも目的とするものである。
【００１１】
【課題を解決するための手段】
上記目的を達するため、本発明は、画素を構成する赤、緑、青の放電セルのいくつかもしくは全てが、個別もしくは数個づつが個別に発光する同色のサブセルの集合体からなることを特徴とする。
【００１２】
また、各サブセルが蛍光体を塗布した隔壁に２方を囲まれた構造であり、前記サブセルの同色のものが一列に配列されていることを特徴とする。
【００１３】
また、画素を構成する赤、緑、青の放電セルのいくつかが、個別もしくは数個づつが個別に発光する同色のサブセルの集合体からなり、前記集合体内の発光する前記サブセル数を増減させることによってそれぞれの前記画素の輝度を変化させることを特徴とする。
【００１４】
また、画素を構成する赤、緑、青の放電セルのいくつかが、個別もしくは数個づつが個別に発光する同色のサブセルの集合体からなり、前記各集合体内の前記同色のサブセル数を１フィールドを構成するサブフィールド毎に切り替えて点灯することを特徴とする。
【００１５】
【発明の実施の形態】
本発明は、画素を構成するＲＧＢの発光セルを、蛍光体を塗布したリブに囲まれたいくつかのサブセルに分割し、サブセルのいくつかを対にしたサブセルグループかもしくは個々のサブセルを別々に点灯消去出来るようにし、各サブフィールド毎に、点灯する数を変化させて階調を得ようとするものである。また同時に各サブセルを側面に蛍光体を塗布したリブ（隔壁）で囲っている為に、同一電力で輝度が高くなり効率も著しく向上する。
【００１６】
上記構成、方法によって、従来各ＲＧＢが一回の発光で１階調しか表示出来なかったのに対して、ＲＧＢそれぞれを分割したサブセル構成となし、サブセルの発光個数を制御して輝度階調を取ることが出来る様にしたため、少ないサブフィールド数でも高い階調を得ることが出来、画像の微妙な色合いを制御することが出来る。また階調表示に余裕が出来るため、階調を低下させることなくサブフィールドの一部を疑似輪郭対策用として利用できる。このことによって非常に良好な画質を得ることが出来る。
【００１７】
また本発明では、ＲＢＧで構成される画素内でサブセルを位置的に混在させているため、サブセルごとの各色の点灯の偏りが少なく美しい色合いが得られる。
【００１８】
以下本発明の一実施例のプラズマディスプレイについて、図面を参照しながら説明する。
【００１９】
図１は本実施例におけるプラズマディスプレイパネルの１画素の概略透過構成及び信号系概略ブロック図を示すものである。図１において、２５はスキャンドライバーであり、３０は電極である。電極３０は１画素中にＹ１とＹ２が形成されている。２６はアドレスドライバーであり、アドレス電極３２に信号を送る。アドレス電極は本実施例では、１画素中にＤ１からＤ６の６本形成されており、各サブフィールドのセットアップが終了した後６０Ｖから８０Ｖの電圧を印加することで電極３０と電極３１の間で最小放電単位であるサブセルを放電させて壁に電荷をのせることによってサブセルのアドレスを行う。
【００２０】
２７はサステインパルスジェネレータであり、３１の電極Ｘ１、Ｘ２に信号を送る。２９はリブ（隔壁）でありＬ１からＬ７まで形成されている。電極Ｘ１と電極Ｙ１もしくはＸ２とＹ２の間には２００Ｖ近くの電圧が印加されるので、壁電圧と重畳してそれぞれのＸＹ電極間の予めアドレスされたサブセル間で放電が生じる。
【００２１】
本実施例ではＮｅ９５％、Ｘｅ５％を５００Ｔｏｒｒ充填したパネルを用いている為、ＸとＹ電極間の放電によって１４７nmの紫外線が生じる。この紫外線によってリブＬ１からＬ７の間に塗布した赤（Ｒ）、緑（Ｇ）、青（Ｂ）の蛍光体から可視光が発光され、それらの点発光の集まりによって画像を生じる。
【００２２】
本実施例では、全サブセルの内、発光部２８が、Ｇ１からＧ７までのものを示した。本実施例では発光するサブセルを赤（Ｒ）は４個、緑（Ｂ）では１個、青（Ｂ）は２個点灯している状態を示した。従来は、例えば赤（Ｒ）については、本実施の４個にあたる赤（Ｒ）１個のセルが点灯もしくは消灯して輝度を表現するのに対して、本実施例では、４個のサブセルの内何個を光らせるかで、４階調を表現できる。この４階調を各サブフィールド毎に変化させることによって、階調の自由度は著しく高くなり、輝度のダイナミックレンジを大きく取ることが出来る。
【００２３】
もしくは本実施例ではパネルとして４階調表現できるために、従来８ビット表現で２５６階調表現していたものが、６ビットで２５６階調表現出来ることになり、残りの２ビットを疑似輪郭対策にまわすことができる。このため、画像がより美しくなり、品質が向上する。また従来３１階調目と３２階調目は輝度の時間的広がりが変化するために、疑似輪郭が出やすいという問題があった。
【００２４】
しかし本実施例では、パネル輝度の表現方法を、柔軟に変化させることが出来るので、疑似輪郭が出にくい。例えば、３２階調を従来の様に、サブフィールド内で３２回一度に光らせるのではなく、（４＋８＋１６／４＋３２／４＋６４／４）という表現が可能になる。
【００２５】
つまり１６、３２、６４のそれぞれの階調発光時に４サブセルの内１つのサブセルだけを光らせて３２階調を表現出来るため、（１＋２＋４＋８＋１６）のパルス数の和で表される３１階調と輝度的の時間的隔たりがなくなり、非常になめらかな画像表現が可能になる。
【００２６】
また、本実施例では、サブセルの位置が空間的に分割されており、各階調毎に発光する場所をリブで囲っているため、各サブセルのリブの側面についた蛍光体が発光し、サブセルのない場合に比較して輝度が高く、効率の高いパネルを得ることができる。
【００２７】
以上のように本実施例は、画素を構成するＲＧＢの発光セルをそれぞれいくつかのサブセルに分割し、蛍光体を塗布したリブに囲まれたサブセルを別々に点灯消去出来るようにし、各サブフィールド毎に、点灯する数を変化させて階調を得ようとするものである。このことによって、サブフィールド内の発光数によって階調を制御出来るばかりでなく、パネル内のサブセルの点灯数によっても輝度を変化させることが出来るため、著しく輝度階調の実現が容易になる。
【００２８】
また、サブフィード数が同じ場合には、従来より多くの階調が実現できる。
また、階調の変化を画面上でなめらかに変化させることが出来るので、非常に品質の高い映像を得ることが出来る。また各サブフィールドは蛍光体を塗布したリブ（隔壁）によって２方を囲まれている為、従来より蛍光体塗布面積が増加し、同じ電力で輝度を増加させることができる。そのため非常に明るく効率の高いＰＤＰパネルを得ることができる。
【００２９】
尚、本実施例ではＲＧＢそれぞれのセル内にサブセルがある場合を示したが、セル内の位置が混在してもよい。例えば、本実施例ではＲＲＧＧＢＢと左からサブセルが並んでいるが、ＲＧＢＲＧＢと並んでも良い。この場合には色が混在して発色するため、画像としての色合いの変化がよりなめらかになり、画像の品質が上がる。
【００３０】
また、本実施例では電極ＸＹを１セル中で２対配した場合を示したが、一対のみにすると、パネルによる階調は２階調に減るが、本特許に述べる効果を期待できることは述べるまでもないし、逆に３対以上配しても良い。
【００３１】
またリブ数を増加させ、電極数を増加させることでサブセル数を増加させ、パネルでの階調を増加させることは十分考えられることである。ただ、現状のＰＤＰパネル製造を考えるとき、リブの数を増加させると、リブ厚みによる開口率が減少するため、サブセルをどの程度取るかは、製造の観点からは上限がある。
【００３２】
また一般にはＲＧＢの内の色温度上げるためにＢの輝度を上げる必要がある。そのためサブセル数をＢだけ多く形成し、いくつかを同時に駆動させても良い。このことにより色温度の高いパネルを得ることが可能になる。
【００３３】
また、本実施の形態では、プラズマディスプレイパネルを一例に説明したが、他の表示素子を用いるＦＥＤ（フィールドエミッションディスプレイ）や有機ＥＬなどの表示装置や、例えばサブフィールド構成をもつ微小鏡を用いたＤＭＤなどの表示装置などに、本発明の技術思想を用いることができるのは言うまでもない。
【００３４】
【発明の効果】
以上のように本発明によれば、サブフィールド内の発光数によって階調を制御出来るばかりでなく、パネル内のサブセルの点灯数によっても輝度を変化させることが出来るため、著しく輝度階調の実現が容易になる。特に、サブフィード数が同じ場合には従来より多くの階調が実現できる。
【００３５】
また、階調の変化を画面上でなめらかに変化させることが出来るので、非常に品質の高い映像を得ることが出来る。
【００３６】
また、各サブフィールドは蛍光体を塗布した隔壁によって２方を囲まれているＰＤＰの構成では、従来より蛍光体塗布面積が増加し、同じ電力で輝度を増加させることができる。そのため非常に明るく効率の高いＰＤＰパネルを得ることができる。
【図面の簡単な説明】
【図１】本発明の実施例におけるプラズマディスプレパネルの１画素の概略透過構成及び信号系概略ブロック図
【図２】従来のプラズマディスプレイ部分斜視構成図
【図３】従来のプラズマディスプレイ概略透過構成図
【符号の説明】
２５  スキャンドライバー
２６  アドレスドライバー
２７  サステインパルスジェネレータ
２９  リブ（隔壁）
３０  電極
３１  電極
３２  アドレス電極
【図１】
0003777823.tif 000002
【図２】
0003777823.tif 000003
【図３】
0003777823.tif 000004